(57)【要約】【課題】  商品をそのまま入れたり、包んだりするだけで緩衝効果があり、更に、外観上にも所望のデザインや情報を施して見る者に、情報伝達を可能にしたり、また好印象を与えることができて、意匠効果にすぐれ、しかも、自然環境に悪影響をもたらさない緩衝効果を有する情報表示機能付き緩衝材を提供する。【解決手段】  規則的な凹凸形状を有する緩衝用部材と、表面に情報表示部を有するシート状基材とを有し、前記緩衝用部材の上側に、前記シート状基材が重ね合わされ、前記緩衝用部材の凸形状の頂点部分と、前記シート状基材の裏面とが接着されている接着部を有することを特徴とする。【選択図】        図1
2008100691.tif 000002
【特許請求の範囲】
【請求項１】
規則的な凹凸形状を有する緩衝用部材と、表面に情報表示部を有するシート状基材とを有し、
前記緩衝用部材の上側に、前記シート状基材が重ね合わされ、前記緩衝用部材の凸形状の頂点部分と、前記シート状基材の裏面とが接着されている接着部を有することを特徴とする情報表示機能付き緩衝材。
【請求項２】
前記規則的な凹凸形状が、等間隔で山折りと谷折りとが繰り返されジグザグ折りされた形状であることを特徴とする請求項１記載の情報表示機能付き緩衝材。
【請求項３】
前記緩衝用部材と前記シート状基材とが、天然パルプを原料とする紙、又は、自然環境内で分解性を有する合成樹脂フィルムであることを特徴とする請求項１または請求項２に記載の情報表示機能付き緩衝材。
【請求項４】
前記接着部が、水系接着剤及び/またはホットメルト型接着剤をドット状及び/またはライン状に塗布されて接着されていることを特徴とする請求項１から請求項３に記載の情報表示機能付き緩衝材。
【請求項５】
前記緩衝用部材の所定部分に情報表示部が設けられていることを特徴とする請求項１項から請求項４項に記載の情報表示機能付き緩衝材。
【発明の詳細な説明】
【技術分野】
【０００１】
本発明は、商品を宅配便などで輸送や配送する際に、それらの配送品である商品を落としたり、ぶつけたりなどした場合でも商品が破損されるのを防止するための緩衝材であって、特に、緩衝材で商品を包み込んだ際に、その外側に所望の情報が目視可能に表示されている情報表示機能付き緩衝材に関する。
【背景技術】
【０００２】
従来、通信販売会社では、宅配便を利用して大量の商品を注文者である顧客まで届けている。
これらの商品を宅配便で配送する際に必要な物として、段ボール箱や封筒、納品明細書や払込票、配送伝票などがある。
例えば、配送する商品が、家具のようなサイズのものである場合には、段ボール箱や封筒に入らないこともあるが、商品が化粧品、文房具などの小物類の場合には、段ボールや封筒にそれらの商品を入れて配送させるなどしている。
【０００３】
そして、通信販売会社では、商品を宅配便で配送する際に、顧客から注文があった商品について納品明細書を見ながら配送品を確認して、それらの商品を段ボールに入れた後に、段ボール箱の封緘を行い、配送伝票を段ボール箱の所定位置に貼り込んで発送手続きを行なうといった処理を行っている。
【０００４】
また、多くの場合に、商品のサイズと段ボール箱のサイズとが同じではないために、段ボールの内部に隙間が生じることになり、その状態で配送処理が行われると、宅配便での輸送中に段ボール箱の中で商品が踊ってしまい、最悪の場合には、顧客に届けられた商品が破損してしまっていることも考えられる。
したがって、このように配送品が途中で破損するのを防止するために、段ボール箱に入れた商品と段ボール箱の壁との間に詰め物を入れたり、緩衝材と呼ばれる資材を隙間に入れるなどして商品が不必要に動かないようにしている。
これらの緩衝材については、既に種々の構造の緩衝材が公知となっている。（例えば、特許文献１〜５、参照）
【０００５】
【特許文献１】特開平６−１７１６７１号公報
【特許文献２】特開平７−２０６０４７号公報
【特許文献３】特開平８−１４３０６５号公報
【特許文献４】特開２００２−２５５１５７号公報
【特許文献５】特開２００５−７５３８０号公報
【０００６】
しかしながら、これらの緩衝材は、商品が注文者に届けられた後において不要物となり、ほとんどが廃棄されることになる。
このために緩衝材として従来頻繁に使用されている、所謂「エアキャップ」などの合成樹脂を原料とする緩衝材については、もともと高価であるのにもかかわらず、商品が届いてしまえば不要物として捨ててしまうために、経済的にも無駄であるだけでなく、資源の無駄使いや、環境保全などの問題もあり使用しにくい状況にあるという問題がある。
【０００７】
また、従来の緩衝材は、段ボール箱や封筒の中に入れる作業が必要であることから、商品と緩衝材とを入れる手間がかかり、商品の配送用意をする際に手間や時間がかかり面倒でもあるという問題がある。
更に、従来の緩衝材では、その外側に所望の情報を表示して伝達したり、広告表示や模様を印刷して意匠性を高めたりすることもできないので、商品の受取人が届いた緩衝材を所望の目的で再利用するということもできないという問題がある。
【発明の開示】
【発明が解決しようとする課題】
【０００８】
そこで、本発明は、商品をそのまま入れたり、包んだりするだけで緩衝効果があり、更に、外観上にも所望のデザインや情報を施して見る者に、情報伝達を可能にしたり、また好印象を与えることができて、意匠効果にすぐれ、しかも、自然環境に悪影響をもたらさない緩衝効果を有する情報表示機能付き緩衝材を提供する。
【課題を解決するための手段】
【０００９】
上記の課題を達成するために、本発明の情報表示機能付き緩衝材は、規則的な凹凸形状を有する緩衝用部材と、表面に情報表示部を有するシート状基材とを有し、前記緩衝用部材の上側に、前記シート状基材が重ね合わされ、前記緩衝用部材の凸形状の頂点部分と、前記シート状基材の裏面とが接着されている接着部を有することを特徴とする。
【００１０】
また、本発明の情報表示機能付き緩衝材は、前記規則的な凹凸形状が、等間隔で山折りと谷折りとが繰り返されジグザグ折りされた形状であることを特徴とする。
【００１１】
更に、本発明の情報表示機能付き緩衝材は、前記緩衝用部材と前記シート状基材とが、天然パルプを原料とする紙、又は、自然環境内で分解性を有する合成樹脂フィルムであることを特徴とする。
【００１２】
また、本発明の情報表示機能付き緩衝材は、前記接着部が、水系接着剤及び/またはホットメルト型接着剤をドット状及び/またはライン状に塗布されて接着されていることを特徴とする。
【００１３】
更に、本発明の情報表示機能付き緩衝材は、前記緩衝用部材の所定部分に情報表示部が設けられていることを特徴とする。
【発明の効果】
【００１４】
本発明の情報表示機能付き緩衝材は、規則的な凹凸形状を有する緩衝用部材と、表面に情報表示部を有するシート状基材とが重ね合わされ、接着されているので、商品をそのまま包んだりするだけで緩衝効果があり、更に、シート状基材の表面に所望のデザインや情報を施した情報表示部を有しているので、配送品の外観を見る者に情報を伝達することが可能となり、また好ましい印象を与えることができるという効果がある。
【００１５】
また、本発明の情報表示機能付き緩衝材は、規則的な凹凸形状が、等間隔で山折りと谷折りとが繰り返されジグザグ折りされた形状を有しているので、大きなコストをかけることなく緩衝効果がある情報表示機能付き緩衝材を構成することができるという効果がある。
【００１６】
更に、本発明の情報表示機能付き緩衝材は、シート状基材と緩衝用部材とが、天然パルプを原料とする紙、又は、自然環境内で分解性を有する合成樹脂フィルムであるので、自然環境に害を与えることを防止することができるという効果がある。
【００１７】
また、本発明の情報表示機能付き緩衝材は、接着部が、水系接着剤及び/またはホットメルト型接着剤をドット状及び/またはライン状に塗布されているので、簡単に製造することができる。
【００１８】
更に、本発明の情報表示機能付き緩衝材は、緩衝用部材の所定部分に情報表示部が設けられているので、裏面側から見た場合でも、表示された内容から情報伝達が行えたり、また好印象を与えることができ、意匠効果にもすぐれている。
【発明を実施するための最良の形態】
【００１９】
以下、本発明の実施形態に係る情報表示機能付き緩衝材について、図面に基づいて詳細に説明する。
図１は、本発明の実施形態に係る情報表示機能付き緩衝材の斜視図、図２は、図１のＡ−Ａ線断面図、図３は、本発明の実施形態に係る情報表示機能付き緩衝材を構成するシート状基材及び緩衝用部材の平面図である。
【００２０】
本発明の実施形態に係る情報表示機能付き緩衝材１は、図１に示すように、少なくとも表裏面側に対して規則的な凹凸形状が形成された緩衝用部材２と、表面に情報表示部４を有するシート状基材３とを有し、緩衝用部材２の上側に、シート状基材３が重ね合わされて、緩衝用部材２の凸形状の頂点部分とシート状基材３の裏面とにおいて接着されている接着部５を有している。
シート状基材３の表面の情報表示部４には、所望の情報が文字や画像などで印刷されている。
これらの情報としては、情報表示機能付き緩衝材１を使用する企業などが自由に様々な内容の情報を表示させればよいが、例えば、企業の販売商品やサービスなどの広告情報などを表示させておくことで宣伝効果をもたらすようにしてもよい。
【００２１】
図１に示す場合の表示例では、ホテルなどの宿泊施設の写真による建物及び庭の風景が表示されている。
これにより、これらの宿泊施設の情報を表示させた情報表示機能付き緩衝材１で商品を包んで配送することで、その配送品に受取人に対してホテルなどの宿泊施設を広告情報などとして伝達し、ＰＲできるようにしてある。
また、広告情報でない場合でも、所望の絵柄や画像などを表示させておくことで、取り扱う者に対して良いイメージを与えることができるようにしてある。
緩衝用部材２に施されている規則的な凹凸形状は、等間隔で山折りと谷折りとが繰り返されてジグザグ折りされた形状により構成されている。
また、緩衝用部材２には、等間隔で山折りと谷折りで繰り返されてジグザグ折りしやすいように、山折りと谷折りとの各々の折り部分に予めミシン目を形成させておくことが好ましい。
【００２２】
この凹凸形状の大きさは、種々の寸法サイズとすることができ、情報表示機能付き緩衝材１を使用して包み込む商品の材質などに応じて選択すればよい。
例えば、緩衝材１で包み込む商品が、ガラス物のように衝撃で壊れてしまうような弱い材質である場合には、等間隔で山折りと谷折りとが繰り返されてジグザグ折りされた形状の折り部の深さを大きくなるような構造にして、配送時にうっかりぶつけたりした場合でも、包装物に衝撃が伝わらないようにして壊れないようにしたり、また、衝撃に対して強い材質の配送品の場合には、凹凸形状の深さを浅くとるようにするなどして、凹凸形状の選択をすることができる。
【００２３】
シート状基材と緩衝用部材４とは、天然パルプを原料とする紙、又は、自然環境内で分解性を有する合成樹脂フィルムなどで構成されている。
これにより、商品を受け取った者が、その後に情報表示機能付き緩衝材１を廃棄した場合でも、緩衝材１から有害物質を発生させたりすることがなく、また緩衝材１を埋めたりして破棄した場合でも、自然環境内で分解するので自然環境に悪影響をもたらすことがないように配慮されている。
シート状基材３と緩衝用部材４の材質は、確保すべき強度面や再利用の必要性などから、選択すれば良い。
【００２４】
また、緩衝用部材４とシート状基材３とが分離しないで、一体で使用可能とするために、緩衝用部材４の凸形状の頂点部分とシート状基材３の裏面とにおいて接着されているが、この接着部には、水系接着剤及び/またはホットメルト型接着剤をドット状及び/またはライン状に塗布されて接着されている。
【００２５】
更に、図示していないが、規則的な凹凸形状を有する緩衝用部材２の裏面側にも、所定部分に情報表示部が設けられ、企業の販売商品やサービスなどの広告情報などを表示させておくことで宣伝効果をもたらすようにしてもよい。
これにより、情報表示機能付き緩衝材１で商品などを包んで配送した後に、その配送物の受取人が包みを開けた場合にも、その裏側にも情報表示部に表示された広告情報などを見ることができるようにしてある。
シート状基材３の表面と緩衝用部材４の裏面とに、同じ内容の表示を施しておいてもよい。
【００２６】
本発明の情報表示機能付き緩衝材１は、そのまま内側に配送物を入れた状態として丸めて使用したり、また、所定の部分を折り返したり、複数の緩衝材１の所定部分を接着するなどして袋状や封筒状にして、その中に配送物を入れるなどして使用することで、配送物が凹凸形状を有する緩衝用部材２で衝撃から保護されるために、配送物が衝撃で破損される危険がない。
【図面の簡単な説明】
【００２７】
【図１】本発明の実施形態に係る情報表示機能付き緩衝材の斜視図である。
【図２】図１のＡ−Ａ線断面図である。
【図３】本発明の実施形態に係る情報表示機能付き緩衝材を構成するシート状基材及び緩衝用部材の平面図である。
【符号の説明】
【００２８】
１  情報表示機能付き緩衝材
２  緩衝用部材
３  シート状基材
４  情報表示部
５  接着部
【図１】
2008100691.tif 000003
【図２】
2008100691.tif 000004
【図３】
2008100691.tif 000005